(57)【要約】      （修正有）【課題】確実に保温や保冷等の温度維持を行えつつ、利用者が容器を出し入れしやすい開口を有する容器保温ケースを提供すること。【解決手段】容器を挿入する開口を上面に有する容器収容部１２０と、容器収容部の開口１２１の一側が開口から上方に向かって延伸して形成される蓋部１１０と、蓋部と容器収容部との境界部に開口方向に屈曲する屈曲部１１１が形成され、蓋部は屈曲部で屈曲することで開口に対して覆うように配置される構成と成っており、蓋部を開口に対して閉状態とするための閉止部１６０を有し、開口は容器収容部の上面側の略全体に形成され、容器収容部と蓋部には、剛性を有する断熱部が形成され、開口のうち、蓋部の屈曲部と対向する開口端部が屈曲部より低い位置に形成されている容器用ケース１００。【選択図】図１
2006335402.tif 000002
【特許請求の範囲】
【請求項１】
容器を挿入する開口を上面に有する容器収容部と、
前記容器収容部の開口の一側が前記開口から上方に向かって延伸して形成される蓋部と、
前記蓋部と前記容器収容部との境界部に前記開口方向に屈曲する屈曲部が形成され、
前記蓋部は前記屈曲部で屈曲することで前記開口に対して覆うように配置される構成と成っており、
前記蓋部を前記開口に対して閉状態とするための閉止部を有し、
前記開口は前記容器収容部の上面側の略全体に形成され、
前記容器収容部と前記蓋部には、剛性を有する断熱部が形成され、
前記開口のうち、前記蓋部の前記屈曲部と対向する開口端部が前記屈曲部より低い位置に形成されていることを特徴とする容器用ケース。
【請求項２】
前記蓋部から前記容器収容部にわたる側縁部に剛性を有する補強材が配置されていることを特徴とする請求項１に記載の容器用ケース。
【請求項３】
前記閉止部が、スライドファスナであり、
前記スライドファスナにより前記蓋部が前記開口に対して閉状態で配置されるとき、前記蓋部の先端部が前記開口より外側に突出して配置されることを特徴とする請求項１又は請求項２に記載の容器用ケース。
【発明の詳細な説明】
【技術分野】
【０００１】
本発明は、液体等が収容された容器を収納する容器用ケースに関するものである。
【背景技術】
【０００２】
従来より、ミルク等を入れた哺乳器等の容器を保温しつつ持ち運ぶ容器用ケースとして哺乳器用保温ケースが用いられている（例えば、特許文献１）。
特許文献１の図１１や図１３に示されるように、哺乳器用保温ケース１００には、開口１２０があり、この開口は、スライドファスナー１２０ａ等で開閉可能となっている。
すなわち、スライドファスナー１２０ａ等は開口１２０に配置されているエレメントをスライダー１２０ａの移動によって噛み合わせることで閉める構成となっている。また、スライダー１２０ａを反対方向に移動させることで、噛み合わされているエレメントを分離させ開口１１が閉状態となる。
したがって、利用者が哺乳器を哺乳器用保温ケース１０内に収容するときは、先ず、哺乳器用保温ケース１００のスライダー１２０ａを動かし、開口１２０を開状態とした後、哺乳器を挿入する構成となっている。
【０００３】
【特許文献１】特開２００４−８２５４号公報（図１１等）
【発明の開示】
【発明が解決しようとする課題】
【０００４】
しかしながら、図４の哺乳器用保温ケース１０の開口１１をスライダー１２０ａで開状態としても、開口部分は殆ど閉じた状態のままであり、哺乳器をそのまま挿入できるほどの間隔が空いていない。また、近年哺乳器は乳首の口径が大きくなる傾向にあり、その他、哺乳器以外にもスパウトがついた容器や、水筒状のストローや飲み口がついたカップ、ハンドルがついたもの等、従来の哺乳器よりも大きな各種飲料容器を収容し、携帯することも多く見られる。このため、利用者は開口１１を手等で押し開けて、その状態を維持しつつ哺乳器等を出し入れする必要があり、哺乳器等の出し入れをし難いという問題があった。
そこで、確実に保温や保冷等の温度維持を行えつつ、利用者が容器を出し入れしやすい開口を有する容器保温ケースを提供することを目的とする。
【課題を解決するための手段】
【０００５】
前記課題は、請求項１の発明によれば、容器を挿入する開口を上面に有する容器収容部と、前記容器収容部の開口の一側が前記開口から上方に向かって延伸して形成される蓋部と、前記蓋部と前記容器収容部との境界部に前記開口方向に屈曲する屈曲部が形成され、前記蓋部は前記屈曲部で屈曲することで前記開口に対して覆うように配置される構成と成っており、前記蓋部を前記開口に対して閉状態とするための閉止部を有し、前記開口は前記容器収容部の上面側の略全体に形成され、前記容器収容部と前記蓋部には、剛性を有する断熱部が形成され、前記開口のうち、前記蓋部の前記屈曲部と対向する開口端部が前記屈曲部より低い位置に形成されていることを特徴とする容器用ケースにより達成される。
【０００６】
前記構成によれば、蓋部は屈曲部で屈曲することで開口に対して覆うように配置される構成と成っており、蓋部を開口に対して閉状態とするための閉止部を有し、容器収容部と蓋部には、剛性を有する断熱部が形成されている。
このため、閉止部により蓋部の開口に対する閉状態を解除すると、蓋部の屈曲部は、断熱部の剛性により屈曲から復元する方向に復元して一定量開いた状態となる。
したがって、利用者が容器を容器収容部に挿入するとき、利用者は閉止部の閉状態を解除するだけで蓋部が開くので、従来のように、利用者が開口を手等で押し開けながら容器を挿入する必要がなく、容器を出し入れしやすい開口を有する容器用ケースとなる。
【０００７】
また、容器収容部と蓋部には断熱部が形成され、開口は容器収容部の上面側の略全体に形成されているため、開口が大きく形成されている。そして、開口のうち、蓋部の屈曲部と対向する開口端部が屈曲部より低い位置に形成されている。このため、利用者が容器収容部の大きな開口に対して斜め方向から容器を挿入することができ、しかも蓋部を閉めた状態では確実に断熱されるので、利用者が容器を容器収容部に出し入れし易いにも係らず、閉止状態では確実に保温や保冷等の温度保持が可能な構成となっている。
【０００８】
好ましくは、請求項２の発明によれば、請求項１の構成において、前記蓋部から前記容器収容部にわたる側縁部に剛性を有する補強材が配置されている容器用ケースである。
【０００９】
前記構成によれば、蓋部から容器収容部にわたる側縁部に剛性を有する補強材が配置されているので、携帯時等における形状の保持を確実に行えるだけでなく、蓋部の復元がより迅速且つ確実に行われることなる。
【００１０】
好ましくは、請求項３の発明によれば、請求項１又は請求項２の構成において、前記閉止部が、スライドファスナであり、前記スライドファスナにより前記蓋部が前記開口に対して閉状態で配置されるとき、前記蓋部の先端部が前記開口より外側に突出して配置されることを特徴とする容器用ケースである。
【００１１】
前記構成によれば、蓋部の先端部がスライドファスナによって閉止されている部分の外側に配置され、この閉止されている部分は下方に向かって配置される。
一般にスライドファスナによって閉止されている部分は、容器用ケース内の熱が放出されやすい部分となる。
しかし、本発明では、この閉止されている部分における少なくとも蓋部の先端部は、下方に向かって配置されているので、容器用ケース内の熱が外部に放出されにくく、保温保冷効果が向上することになる。
【発明の効果】
【００１２】
本発明は、以上の点に鑑み、利用者が容器を入れやすい開口を有する容器用ケースを提供できるという利点がある。
【発明を実施するための最良の形態】
【００１３】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
図１（ａ）は、本発明の実施の形態に係る保温保冷ポーチ１００の蓋部１１０が開いた状態を示す概略斜視図であり、（ｂ）は、保温保冷ポーチ１００の蓋部１１０が閉じた状態を示す概略斜視図である。図２は、保温保冷ポーチ１００の他の概略斜視図である。
図１（ａ）に示すように保温保冷ポーチ１００には、容器である例えば、哺乳器を挿入する開口１２１を有する容器収容部である例えば、収容部１２０を有している。
そして、収容部１２０の開口１２１の一側である背面から上方に向かって、背面と一体に延伸して蓋部１１０が形成されている。
また、図１の蓋部１１０と収容部１２０との境界部には、蓋部１１０が開口１２１方向に屈曲する屈曲部１１１が形成されている。
そして、この蓋部１１０は屈曲部１１１を屈曲させて、保持することで図１（ｂ）に示すように開口１２１を覆うように配置される構成となっている。
【００１５】
また、蓋部１１０と収容部１２０の開口１２１側の縁部には、スライドファスナ１６０のエレメント１６２がそれぞれ形成され、これら、エレメント１６２は、スライダ１６１の移動により噛み合わされ又は分離されるように構成されている。
すなわち、スライダ１６１でエレメント１６２が相互に噛み合うと図１（ｂ）に示すように蓋部１１０が閉まった状態で保持され、逆に、エレメント１６２が閉まった状態で、スライダ１６１が移動するとエレメント１６２の噛み合いが開放され、相互に分離し、図１（ａ）に示すように蓋部１１０が開く構成となっている。なお、本実施の形態においてはスライダ１６１が２つ設けられており、どの位置からでも開閉することができる。
したがって、スライドファスナ１６０は、蓋部１１０を開口１２１に対して閉状態にするための閉止部の一例となっている。
【００１６】
また、図１（ａ）に示すように開口１２１は、収容部１２０の上面側の略全体に形成されており、収容部１２０における水平面における面積が上方に行くほど広がる形態とされ、しかも、開口１２１のうち、蓋部１１０の屈曲部１１１と対向して配置される開口端部１２１ａが、屈曲部１１１より低い位置に形成されている。
【００１７】
図３は、図１（ａ）のＡ−Ａ’線概略端面図であり、収容部１２０や蓋部１１０等における積層状態を示すものである。図３に示すように蓋部１１０は、その最表面に合成皮革１２２が配置され、その内側に空気層を介して、ポリエチレン１２３が配置されている。そして、ポリエチレン１２３の内側に発泡ポリウレタン１２４が配置され、最も内側には、ナイロン１２５が配置されている。
このうち、ナイロン１２５と発泡ポリウレタン１２４は熱溶着されている。すなわち
ナイロン１２５は、最内層であって、哺乳器等の容器に当接する当接層であり、撥水加工がされているため、収容部１２０内で哺乳器のミルク等がこぼれてもミルクが収容部１２０にしみ込むことを防止することができる構成となっている。
また、発泡ポリウレタン１２４は、熱分離層として機能する空気層となるよう、発泡内に空気を保持できる構成とされているため断熱性が確保されている。
そして、ポリエチレン１２３は実質的にフィルム状とされており、完全に通気を遮断する遮断層とされているため、熱分離層である発泡ポリウレタン等で保持した温度の保温保冷性が向上している。
また、ポリエチレン１２３と合成皮革１２２との間にも空気層が形成されるため保温保冷機能がより向上している。表面層の合成皮革１２２は防水機能を有しているため汚れが付きにくく、同時に断熱性も高め、かつ、万一、内部からミルク等の液体が漏れ出てしまっても、カバン内等に漏れ出さない構成となっている。
このように、合成皮革１２２は防水層を形成し、内側の材質は撥水層となっている。これらの構成は、収容部１２０も同様であって、各層は収容部１２０の各側面や底面、蓋部１１０等で一体に積層されて、後述するチューブ１２６を配置したパイピング部１２７で連結して構成されている。
【００１８】
収容部１２０と蓋部１１０は４層から成っているため剛性を有し、特に熱分離層である発泡ポリウレタン層１２４は厚みを有しており、空気層等と合わせて断熱部の一例となっている。なお、この発泡ポリウレタン層１２４等によりクッション効果を持つこととなり、内容物がガラス等の割れ物を使用していても、容器を保護することができる。
また、図３に示すように、これら４層から成る材質の端部には内側ナイロン部１２５ａが内側から覆うように配置され、収容部１２０内でこぼれたミルク等が収容部１２０の外部等に漏れ出すことを未然に防止する構成となっている。
また、このような内側ナイロン部１２５ａは、収容部１２０の他の縫い目部分にも覆うように配置され、従来のように縫い目部分からミルク等がしみ出すのを防ぐ構成としている。
【００１９】
このように構成することで、利用者が図１（ｂ）の状態からスライダ１６１を移動させ、エレメント１６２の噛み合わせを解除すると、蓋部１１０は、図１（ａ）の屈曲部１１１の剛性に基づき反屈曲方向、つまり蓋部１１０が開く方向へ復元する。
すなわち、利用者が哺乳器を保温保冷ポーチ１００に挿入したり、取り出すときは、利用者はスライダファスナ１６０を移動させ、エレメント１６２の噛み合わせを解除するだけで蓋部１１０が図１（ａ）に示すように開く。したがって、従来のように、利用者が開口を手等で押し開けてから哺乳器を挿入する必要がなく、哺乳器を出し入れしやすい開口１２１を有する保温保冷ポーチ１００となっている。なお、この際、復元力は断熱部の厚みや後述するパイピング部１２７の構成等によって異なるが、一定量開くことによって、哺乳器等を蓋部１１０に当てながら操作できる為、両方の手を使用しなくとも出し入れすることができて使い易い。
【００２０】
また、本実施の形態では、図１（ａ）に示すように、開口１２１は、収容部１２０の上面側の略全体に形成されているため開口１２１が大きく形成され、蓋部１１０の開口端部１２１ａが屈曲部１１１側より低く形成されている。つまり、屈曲部１１１から開口端部１２１ａにかけて下側に傾斜して開口１２１が形成されているため、利用者が収容部１２０の大きな開口１２１に対して斜め方向（垂直方向ではない）から哺乳器を挿入したり、取り出すことができるので、利用者にとって哺乳器を入れやすい構成となっている。
【００２１】
また、図１（ｂ）及び図２に示すように、蓋部１１０から収容部１２０にわたる側縁部１１２には、剛性を有する補強材であるパイピング部１２７が配置されている。この補強材は、図３に示すように、例えばポリエチレン製のチューブ１２６である。このパイピング部１２７は、収容部１２０の底面周縁や、蓋部１１０の周縁、開口１２１周縁等の周縁部、収容部１２０の両側面に上下方向に延びるよう各３本配置しており、保温ポーチ１００の形状を保持し、容器の出し入れをしやすくし、携帯時における保護性を高めている。
このようにチューブ１２６を収容部１２０の背面側の蓋部１１０にかけて連続して側縁部１１２に配置することで屈曲部１１１等の剛性が高まり、蓋部１１０の復元力が向上し、より迅速且つ確実に蓋部１１０が開くことになる。
【００２２】
また、図１（ｂ）に示すように、スライドファスナ１６０で蓋部１１０を閉めたとき、蓋部１１０の先端部は、開口１２１より外側に突出し、エレメント１６２の噛み合い部分が下方を向くようになっている。つまり、閉止状態において、エレメント１６２は蓋部１１０の基端側では側面に向くよう配置され、蓋部１１０の先端側では斜め下面側に向くよう配置されており、使用者はねじるようにスライダ１６１を操作することとなる。
一般に、エレメント１６２は係合部であり、スライダ１６１の位置が僅かに開き易く、しかも断熱部が配置できないこともあって、その噛み合い部分から、収容部１２０内の熱が放出されやすい構造となっている。
しかし、本実施の形態では、図１（ｂ）にあるように、開口端部１２１ａ側ではエレメント１６２の噛み合い部分は下方に向かって配置されているので、その部分から収容部１２０内の熱等が外部に放出され難く、しかも、スライダ１６１が閉止状態で開口端部１２１ａに配置されても熱が移動し難く、さらに、図３に示すように、エレメント１６２の内側には各層を縫合した部分を覆う内側ナイロン部１２５ａが形成されており、蓋部１１０側のエレメント１６２が開口端部１２１ａを上側から覆うため、エレメント１６２部での断熱を確保し、収容部１２０の保温保冷効果が向上する構成となっている。
【００２３】
また、図１及び図２に示すように、収容部１２０には、ストラップ１３０が形成されている。そして、ストラップ１３０の左側端部１３１は収容部１２０の側面の背面側に寄った部分に配置されている。一方、ストラップ１３０の右側端部１３２は、逆に側面の前面側に寄って配置されている。
すなわち、ストラップ１３０は、保温保冷ポーチ１００の平面から見ると斜めにたすきがけをしたように配置される。
このようにストラップ１３０を配置することで、ストラップ１３０を利用者が持ったり、対象物に吊るして使用しても保温保冷ポーチ１００が前方等の一方に傾いたりせず、真っ直ぐな姿勢を保持させることでき、より漏れが発生し難い。
【００２４】
また、ストラップ１３０は、図２に示すように連結具１５０によって分離可能となっている。このため、利用者がベビーカー等のハンドルにストラップ１３０を介して保温保冷ポーチ１００を容易に吊り下げ等して使用することができる。
【００２５】
また、収容部１２０の背面側には、図２に示すようにホルダ１７０が形成されている。このため、ホルダ１７０にベルトを通すことで持ち運びが便利になる。また、利用者が一方の手で、スライドファスナ１６０の操作をするときに、他方の手でホルダ１７０を持つことにより、スライドファスナ１６０の操作が行い易くなる。
つまり、一方の手でホルダ１７０等を使用して収容部１２０を保持し、他方の手でスライダ１６１を操作して蓋部１１０を開いた後に、そのまま他方の手を使用して哺乳器等の出し入れを行うことができる。
そのため、従来のようにスライドファスナーを操作した後に、保温ケースを置いて、一方の手で開口を開いた状態を維持しながら、他方の手で哺乳器等を出し入れするという操作を行う必要がなく、保温ケース１００を持ったまま出し入れを行うことができる。
【００２６】
また、図１（ａ）に示すように収容部１２０内にはポケット１４０が形成され、粉ミルク等の小物を入れることができる構成となっている。
【００２７】
本実施の形態にかかる保温保冷ポーチ１００の保温保冷試験結果は以下の通り。
（保温試験）
外気温度２２℃、２００ｃｃのお湯を入れた哺乳器を保温保冷ポーチ１００に収納し、時間の経過と温度変化を観察した。その結果、１時間で９５℃から６６℃に変化した。
したがって、本実施の形態にかかる保温保冷ポーチ１００は保温機能を十分発揮していた。
【００２８】
（保冷試験）
外気温度２２℃、２００ｃｃの冷水を入れた哺乳器を保温保冷ポーチ１００に収納し、時間の経過と温度変化を観察した。その結果、１時間で２℃から８．５℃に変化した。
したがって、本実施の形態にかかる保温保冷ポーチ１００は保冷機能を十分発揮していた。
【００２９】
本発明は、上述の各実施の形態に限定されない。本実施の形態では閉止部としてスライドファスナ１６０を示したが、これに限らず、ボタン、力ボタン、ドットボタン、スナップ、フック、はとめ、面ファスナ及び前かん等の他の係合手段としても構わない。また、収容部１２０や蓋部１１０に使用される材料や積層状態は、最内層に防水機能を持たせてもよく、その他の材料の選択も含め、保温保冷機能を持っていれば、単一材料で形成するなど各種材料を使用してもよい。
【図面の簡単な説明】
【００３０】
【図１】（ａ）は、本発明の実施の形態に係る保温保冷ポーチの蓋部が開いた状態を示す概略斜視図であり、（ｂ）は、保温保冷ポーチの蓋部が閉じた状態を示す概略斜視図である。
【図２】保温保冷ポーチの他の概略斜視図である。
【図３】図１（ａ）のＡ−Ａ’線概略端面図である。
【符号の説明】
【００３１】
１００・・・保温保冷ポーチ、１１０・・・蓋部、１１１・・・屈曲部、１１２・・・側縁部、１２０・・・収容部、１２１・・・開口、１２１ａ・・・開口端部、１２２・・・合成皮革、１２３・・・ポリエチレン、１２４・・・発泡ポリエチレン、１２５・・・ナイロン、１２６・・・チューブ、１２７・・・パイピング部、１３０・・・ストラップ、１６０・・・スライドファスナ、１６１・・・スライダ、１６２・・・エレメント
【図１】
2006335402.tif 000003
【図２】
2006335402.tif 000004
【図３】
2006335402.tif 000005